(57)【特許請求の範囲】
【請求項１】
１本の電線端末に接続された端子金具へ被せるゴムキャップを備え、該ゴムキャップは、電線挿通筒部の一端に連続して拡径した端子カバー部が一体成形され、前記電線挿通筒部の他端の開口を挿入口とし、該挿入口に連続する中空部に拡径したゴム栓内嵌部を設けており、該ゴム栓内嵌部の内周面に環状凹部を設けられている一方、
前記電線には端子金具を接続した端末から離れた位置に電線サイズに対応した挿通穴を有するゴム栓が予め移動可能に取り付けられ、該ゴム栓の外周面には前記ゴムキャップの環状凹部に密嵌する環状凸部が設けられており、
前記端子金具および該端子金具に接続される電線端末を前記ゴムキャップに挿入後に、前記ゴム栓を移動して前記挿入口を通してゴム栓内嵌部の内周面と電線との間に押し込み、前記ゴム栓の環状凸部を密着する環状凹部に嵌合している端子金具へのゴムキャップ取付方法。
【請求項２】
前記ゴムキャップのゴム栓内嵌部の内周面に設ける環状凹部は軸線方向に間隔をあけて複数設け、挿入口側には浅く且つ幅狭の環状凹部を設け、奥側に深く且つ幅広の環状凹部をもうけ、該複数の環状凹部は前記ゴム栓の外周面に突設している環状凸部に対応させている請求項１に記載の端子金具へのゴムキャップ取付方法。
【請求項３】
前記ゴムキャップは、Ｌ形状に屈曲させた前記電線挿通筒部の一端に連続して拡径した前記端子カバー部が一体成形されている請求項１または請求項２に記載の端子金具へのゴムキャップ取付方法。
【発明の詳細な説明】
【技術分野】
【０００１】
本発明は端子金具へのゴムキャップ取付方法に関し、詳しくは、四輪車（自動車）や二輪車（バイク）に配線する電線端末に接続される端子金具をコネクタを介さずに他の端子金具に嵌合接続する場合に、該電線端末の端子金具に防水用のゴムキャップを取り付けておくものである。
【背景技術】
【０００２】
車両に配線する電線端末の端子金具同士の接続はコネクタを介してなされ、該コネクタに挿入する端子金具の根元部分の電線にゴム栓を外嵌してコネクタ内への浸水を防止する場合が多い。あるいは、コネクタの端子挿入側面に防水カバーを取り付け、該防水カバーに設けた貫通穴に電線を密着して挿通する場合もある。
【０００３】
また、実開昭６３−１４３４５０号では、図５（Ａ）（Ｂ）に示すように、車体パネルＰに設けた貫通穴ＨにワイヤハーネスＷ／Ｈを貫通させる位置にグロメットＧを装着し、該グロメットＧ内にワイヤハーネスを構成する電線ｗを１本づつ貫通させる単線貫通穴ｓｈを設けた栓部材Ｃを内嵌し、または一体に成形し、該単線貫通穴ｓｈの貫通部で電線ｗの止水を図っている。
【先行技術文献】
【特許文献】
【０００４】
【特許文献１】実開昭６３−１４３４５０号
【発明の概要】
【発明が解決しようとする課題】
【０００５】
前記図５に示す栓部材Ｃの単線貫通穴ｓｈは電線ｗの外周面に密着させる必要があるため、電線ｗのサイズに対応させた穴径を有する単線貫通穴ｓｈとする必要がある。しかしながら、電線サイズが多種類であることより栓部材Ｃも多種類が必要となりコストアップの要因となる。
【０００６】
また、図６に示すように、電線ｗの端末に接続した端子金具Ｔ１を機器Ｉから突設した相手方端子金具Ｔ２に直接接続する場合には、電線端末の端子金具Ｔ１にゴムキャップＧＣをかぶせておき、端子嵌合部をゴムキャップで密閉して防水する場合もある。
この場合、ゴムキャップＧＣの貫通穴Ｈの内周面に電線ｗの外周面を密着させてゴムキャップ内部への浸水を防止する必要がある。しかしながら、貫通穴の内周面に電線外周面を密着させる設定とすると、端子金具を貫通穴に貫通する作業は非常に難作業となる問題がある。また、電線サイズに応じてゴムキャップを作成する必要があり、ゴムキャップが多種類必要となり、コストアップになる問題がある。
【０００７】
本発明は前記問題に鑑みてなされたものであり、挿通する電線サイズが相違しても止水性能を低下させずに共用のゴムキャップを用いることができる端子金具へのゴムキャップ取付方法を提供することを課題としている。
【課題を解決するための手段】
【０００８】
前記課題を解決するため、本発明は、１本の電線端末に接続された端子金具へ被せるゴムキャップを備え、該ゴムキャップは、電線挿通筒部の一端に連続して拡径した端子カバー部が一体成形され、前記電線挿通筒部の他端の開口を挿入口とし、該挿入口に連続する中空部をゴム栓内嵌部とし、該ゴム栓内嵌部の内周面に環状凹部を設けている一方、
前記電線には端子金具を接続した端末から離れた位置に電線サイズに対応した挿通穴を有するゴム栓を予め移動可能に取り付けておき、該ゴム栓の外周面には前記ゴムキャップの環状凹部に密嵌する環状凸部が設けられており、
前記端子金具および該端子金具に接続される電線端末を前記ゴムキャップに挿入後に、前記ゴム栓を移動して前記挿入口を通してゴム栓内嵌部の内周面と電線との間に押し込み、前記ゴム栓の環状凸部を密着する環状凹部に嵌合している端子金具のゴムキャップ取付方法を提供している。
【０００９】
前記のように、ゴムキャップに設けた挿入口側にゴム栓内嵌部を設けると共に、該ゴム栓内嵌部の内周面に電線サイズに対応して装着するゴム栓の外周面に密着させることができる環状凹部を設けている。よって、端子金具および電線をゴムキャップの中空部およびゴム栓内嵌部に通した後に、電線に通しておいたゴム栓を電線とゴム栓内嵌部の内周面との間に押し込むと、該ゴム栓の外周面に突設した環状凸部をゴム栓内嵌部の環状凹部に押し込んで密着させることができる。これによりゴムキャップの共用化を図ることができる。なお、電線に予め通しておく前記ゴム栓は防水コネクタの電線に使用されている既存品を用いることができ、コストアップにならない。
【００１０】
前記ゴムキャップのゴム栓内嵌部の内周面に設ける環状凹部は軸線方向に間隔をあけて複数設け、挿入口側には浅く且つ幅狭の環状凹部を設け、奥側に深く且つ幅広の環状凹部をもうけ、該複数の環状凹部は前記ゴム栓の外周面に突設している環状凸部に対応させている。
【００１１】
前記したゴム栓として、防水コネクタに接続する電線に取り付ける既存のゴム栓を用いており、該ゴム栓は電線サイズに対応して電線挿通穴の内径を相違させ、電線との間に空隙を発生させずに止水機能を付与している。このように、ゴム栓の内径は電線サイズに対応して相違させているが、外径は略同一とし、該ゴム栓の外周面に突設する環状凸部も略同一としている。よって、ゴムキャップのゴム栓内嵌部に設ける環状凹部に、異なる電線サイズのゴム栓の環状凸部を密嵌させることができる。
また、細物電線用のゴム栓の環状凸部より太物電線用のゴム栓の環状凸部が若干突出していても、ゴムキャップの環状凹部を押圧して密嵌させることができる。
【００１２】
電線端末に接続された端子金具を電線に対して屈曲させて相手型端子と接続する場合には、前記ゴムキャップはＬ形状に屈曲させた前記電線挿通筒部の一端に連続して拡径した前記端子カバー部が一体成形されたものとしている。
【００１３】
ゴムキャップをＬ形状として中空部をＬ形状に屈曲させると、端子金具を通しにくくなるが、中空部の内周面を電線外周面に密着させる必要はないため、Ｌ形状の中空部を大径としておくことができ、よって、端子金具の通し作業性を改善できる。
なお、ゴムキャップはＬ形状に限定されず、直線状とする場合も好適な挿通作業性が良いゴムキャップとなる。
【発明の効果】
【００１４】
前記のように、本発明によれば、挿通する電線サイズが異なっても共用のゴムキャップを用いて止水性能を保持でき、かつ、電線および電線端末をゴムキャップにスムーズに通すことができ作業性を改善できる。
【図面の簡単な説明】
【００１５】
【図１】本発明の実施形態を示すゴムキャップと電線との分解図である。
【図２】予めゴム栓を取り付けている前記電線の斜視図である。
【図３】（Ａ）（Ｂ）はゴム栓の斜視図である。
【図４】（Ａ）は細物電線をゴムキャップに通した状態の断面図、（Ｂ）は太物電線をゴムキャップに通した状態の断面図である。
【図５】（Ａ）（Ｂ）は従来例を示す図面である。
【図６】他の従来例を示す図面である。
【発明を実施するための形態】
【００１６】
以下、本発明の実施形態を図面を参照して説明する。
図１に示すゴムキャップ１に、図２に示す電線２の端末に圧着接続した端子金具３を挿入し、挿入後に電線２に予め取り付けているゴム栓４を移動させてゴムキャップ１に押し込んで止水を図るようにしている。
【００１７】
前記電線２の端末に接続する端子金具３はメス端子であり、図１中に鎖線で示すように、車両に搭載した機器５０に取り付けられているオス端子金具からなる相手型端子金具５１に直接的に嵌合接続するものである。該端子金具３に取り付けるゴムキャップ１は、電線２の端末部分を挿通して端子金具３に被せ、該ゴムキャップ１の先端面を機器５０の端面に密着させて浸水防止を図るようにしている。また、電線端末の端子金具３は電線２の配線方向に対して直角方向に屈曲されて相手方端子金具５１に接続されるものである。
【００１８】
ゴムキャップ１はＬ形状に屈曲させた電線挿通筒部１０の一端に、拡径した端子カバー部１１を連続して一体成形している。電線挿通筒部１０のＬ形状に屈曲した中空部１０ａを電線２を屈曲させて収容する部分とし、端子カバー部１１の中空部１１ａに端子金具３を位置させるようにしている。
【００１９】
前記電線挿通筒部１０の他端を挿入口１３とし、該挿入口１３に連続する図中水平方向の直線部分をゴム栓内嵌部１４としている。該ゴム栓内嵌部１４には軸線方向に間隔をあけて環状凹部１５を設けている。該環状凹部１５は挿入口１３側から奥側に向けて第１環状凹部１５Ａ、第２環状凹部１５Ｂ、第３環状凹部１５Ｃを設けている。前記第１、第２環状凹部１５Ａ、１５Ｂは浅く且つ幅狭な凹部とし、第３環状凹部１５Ｃは深く且つ幅広な凹部としている。
【００２０】
一方、ゴムキャップ１を取り付ける電線２には予め電線２のサイズに対応したゴム栓４（４Ａ、４Ｂ）を移動可能に通している。該ゴム栓４は防水コネクタに接続する電線用の既存品からなる。該ゴム栓４は電線２の端末に端子金具３を接続する前に電線２に通しており、電線２の外周面に空隙なく外嵌できるゴム栓４を取り付けている。
【００２１】
電線２が細物電線２Ａの場合は、図３（Ａ）に示す小径サイズ電線用のゴム栓４Ａを取り付けている。また、電線が太物電線２Ｂの場合は、図３（Ｂ）に示す大径サイズ電線用のゴム栓４Ｂを取り付けている。さらに、電線サイズに応じて複数種類のゴム栓４が既存品に設けられている。
【００２２】
前記ゴム栓４Ａ、４Ｂは電線を挿通する貫通穴２０の内径は電線２のサイズに応じて設定しており、ゴム栓４Ａの貫通穴２０Ａは小径、ゴム栓４Ｂの貫通穴２０Ｂは大径とし、貫通穴の内径は相違させている。
また、これらゴム栓４Ａ、４Ｂの外周面には、軸線方向に間隔をあけて３個の第１、第２、第３環状凸部２１Ａ、２１Ｂ、２１Ｃを突設している。該３個の環状凸部２１Ａ〜２１Ｃの軸線方向の間隔と同一間隔をあけて前記ゴムキャップ１の３つの環状凹部を設けている。さらに、第３環状凸部２１Ｃと反対側の端部にストッパー用環状凸部２１Ｄを設けている。
【００２３】
前記ゴム栓４（４Ａ、４Ｂ）の前記３個の環状凸部２１Ａ〜２１Ｃの外径は略同等としている。なお、小サイズ電線用のゴム栓４Ａよりゴム栓４Ｂは若干大きくなる場合もある。かつ、これらゴム栓４Ａ、４Ｂは、いずれも、前記第１、第２環状凸部２１Ａ、２１Ｂは突出量が比較的小さく且つ幅を狭くしており、前記ゴムキャップ１の第１、第２環状凹部１５Ａ、１５Ｂに丁度嵌合し、あるいは、押し広げるように嵌合できるようにしている。また、第３環状凸部２１Ｃは突出量が比較的大きく且つ幅を広くし、ゴムギャップ１の第３環状凹部１５Ｃに丁度嵌合し、あるいは、押し広げるように嵌合できるようにしている。
【００２４】
前記のように、電線サイズに適合したゴム栓４を電線２に取り付け、ゴム栓取付状態で電線端末に端子金具３を圧着接続している。
その後、端子金具３を挿入側先端としてゴムキャップ１に対して、挿入口１３から端子金具３を電線挿通筒部１０に通し、端子カバー部１１へと端子金具３を通している。
【００２５】
電線挿通筒部１０はＬ形状に屈曲しているが、ゴムであるため、端子金具３が屈曲部を通過する時点では直線状に変形し、通過後に屈曲して端子金具３に接続した電線２の端末を屈曲保持する。
【００２６】
端子金具３を端子カバー部１１内に位置させた状態で、電線２に取り付けていたゴム栓４を移動させてゴムキャップ１の挿入口１３よりゴム栓内嵌部１４に押し込む。
押し込まれたゴム栓４はゴム栓内嵌部１４内に位置している電線２の外周面とゴム栓内嵌部１４の内周面の間に押し込まれる。ゴム栓４の挿入端の第３環状凸部２１Ｃはゴム栓内嵌部１４の内周面、第１環状凹部１５Ａ、第２環状凹部１５Ｂを押し広げながら押し込まれ、第３環状凹部１５Ｃに内嵌させる。この時、第１環状凸部２１Ａは第１環状凹部１５Ａに、第２環状凸部２１Ｂは第２環状凹部１５Ｂに夫々内嵌する。
【００２７】
前記ゴム栓４が小径サイズ電線用のゴム栓４Ａの場合、第１〜第３環状凸部２１Ａ〜２１Ｃは環状凹部１５Ａ〜１５Ｃに丁度内嵌する。
前記ゴム栓４が大径サイズ電線用のゴム栓４Ｂの場合、第１〜第３環状凸部２１Ａ〜２１Ｃは環状凹部１５Ａ〜１５Ｃを少し押圧して内嵌する。
いずれの場合も、環状凸部２１Ａ〜２１Ｃが環状凹部１５Ａ〜１５Ｃに嵌合した位置で挿入口１３から浸水が生じても止水できる。
【００２８】
前記のように、端子金具３を接続した電線２にＬ形状のゴムキャップ１を取り付ける作業は難作業であるが、ゴムキャップ１の中空部を比較的大きくしているため、端子金具をゴムキャップの屈曲部を無理なく通すことができる。かつ、中空部を大きくしているが、電線外周面に密着したゴム栓をゴムキャップの内周面と電線の外周面に押し込むため、ゴムキャップ内への浸水を確実に止水することができる。
【００２９】
前記実施形態は、電線に対して端子金具を屈曲して配置する場合にＬ形状のゴムキャップを取り付けているが、電線に対して端子金具を屈曲させずに真っすぐに配置する場合にも適用できる。即ち、直線状のゴムキャップを設け、該ゴムキャップの挿入口から前記実施形態と同様に電線に通しておいたゴム栓を押し込めばよい。この場合も電線サイズに対応してゴムキャップを設ける必要はなく、電線サイズに応じてゴム栓を電線に取り付けておけばよい。
【符号の説明】
【００３０】
１  ゴムキャップ
２  電線
３  端子金具
４（４Ａ、４Ｂ）  ゴム栓  
１０  電線挿通筒部
１１  端子カバー部
１３  挿入口
１４  ゴム栓内嵌部
１５Ａ、１５Ｂ、１５Ｃ  第１、第２、第３環状凹部
２１Ａ、２１Ｂ、２１Ｃ  第１、第２、第３環状凸部
【図１】
0005440429.tif 000002
【図２】
0005440429.tif 000003
【図３】
0005440429.tif 000004
【図４】
0005440429.tif 000005
【図５】
0005440429.tif 000006
【図６】
0005440429.tif 000007